(57)【特許請求の範囲】
【請求項１】
箱形状のケース内がメインユニットと余長収納部とに区分けされており、該余長収納部の側面には複数の光ファイバを配設した光ファイバテープ心線を挿入するテープ挿入部が設けられ、前記メインユニットの一端側の側面には通信光入出射用の第１のポートが、他端側の側面には通信光入出射用の第２のポートがそれぞれ複数設けられており、該メインユニットと前記余長収納部との境界部には監視光入出射用の第３のポートが設けられており、該メインユニット内には第１のポートから入射した通信光と第３のポートから入射した監視光とを合波して第２のポートに導き、かつ、第２のポート側で反射した監視光を第３のポートに導く光合分波器が設けられており、前記余長収納部のテープ挿入部から挿入された光ファイバテープ心線の挿入先端側は前記第３のポートに導かれ、該第３のポートを介して前記光合分波器に接続されており、前記余長収納部にはそれぞれ一端側を前記第３のポートの位置で該第３のポートに導かれている光ファイバテープ心線を間に挟む位置に配置して第１ガイド部と第２ガイド部とが設けられ、前記第１ガイド部の他端側はテープ挿入部から余長収納部内に挿入される光ファイバテープ心線が突き当たる位置に予め定められた許容曲率半径よりも大きい曲率半径を有して余長収納部内側に凸となる湾曲部を介して余長収納部の外側へ向かう方向に延設されており、前記第２ガイド部は前記第３のポート側の一端側から予め定められた許容曲率半径よりも大きい曲率半径を有して余長収納部内側に凸となる湾曲部を介して前記第１ガイド部の他端側とは反対側となる余長収納部の外側へ向かう方向に延設されていて、第１ガイド部と第２ガイド部の間隔は第３のポート側の一端側から他端側に向かうにつれて間隔が広くなる形態と成し、光ファイバテープ心線が前記テープ挿入部から余長収納部内へ挿入されるときには、光ファイバテープ心線が前記第１ガイドの湾曲部にガイドされて前記余長収納部の内側に撓んで曲げられながら余長収納部内に収容され、この第１ガイドの湾曲部にガイドされて内側に撓んで曲げられる光ファイバテープ心線は前記第３のポート側において前記第２ガイドの湾曲部によって曲げ変形が受け止められて該第２ガイドの湾曲部の曲率半径よりも小さい曲率半径をもって前記撓み方向に曲がることが規制されていることを特徴とする光分岐ユニット。
【請求項２】
ガイド部によってメインユニットと余長収納部とが区分けされていることを特徴とする請求項１記載の光分岐ユニット。
【請求項３】
第３ポートの近傍には、光ファイバテープ心線を固定するテープ固定部が設けられていることを特徴とする請求項１又は請求項２記載の光分岐ユニット。
【請求項４】
テープ固定部はガイド部に連通して設けられていることを特徴とする請求項１又は請求項２又は請求項３記載の光分岐ユニット。
【請求項５】
テープ挿入部には、光ファイバテープ心線に接続された光コネクタ部を嵌合収容するコネクタ嵌合部が設けられていることを特徴とする請求項１乃至請求項４のいずれか一つに記載の光分岐ユニット。
【請求項６】
テープ挿入部が設けられる余長収納部の壁面にはコネクタ嵌合部に連通して該コネクタ嵌合部よりも幅が狭いスリット部が形成されていることを特徴とする請求項５記載の光分岐ユニット。
【請求項７】
余長収納部はメインユニットの上下の一方側に設けられており、階層構造と成していることを特徴とする請求項１乃至請求項６のいずれか一つに記載の光分岐ユニット。
【発明の詳細な説明】
【０００１】
【発明の属する技術分野】
本発明は、例えば電話通信などの光通信に用いられる光分岐ユニットに関するものである。
【０００２】
【従来の技術】
光ファイバ通信の１つとして、例えば電話通信がある。各電話加入者の設備は光ファイバケーブルにより電話局側と接続されており、その光ファイバケーブルを通して電話通信が行われている。しかしながら、電話局側と電話加入者側を接続する光ファイバケーブルに断線などの何らかの支障が生じると、電話通信を行うことができないため、例えば光ファイバケーブルの断線の有無を検出するといった、ＯＴＤＲ(Ｏｐｔｉｃａｌ  Ｔｉｍｅ  Ｄｏｍａｉｎ  Ｒｅｆｌｅｃｔｍｅｔｅｒ)による光ファイバケーブルの監視システムが提案されている。
【０００３】
上記光ファイバケーブルの監視システムにおいて、ＯＴＤＲからの監視光を光ファイバケーブルに入射させる際に、複数の光ファイバを配設固定した光ファイバテープ心線が用いられており、この監視光入射用の光ファイバテープ心線を複数の光ファイバケーブルに接続する光分岐ユニットが用いられている。
【０００４】
この光分岐ユニットは、例えば図５に示すように、箱形状を呈しており、光合分波器(図示せず)を備えたメインユニット２と、監視光入射用の光ファイバテープ心線７の余長部分を収納するための余長収納部３を有している。メインユニット２には、電話局側の複数の局内光回線と加入者用の複数の局外光回線とが上記光合分波器を介して接続されるようになっており、この光合分波器に光ファイバテープ心線７が接続されることによって、光ファイバテープ心線７を通してＯＴＤＲからの監視光を局外光回線の光ファイバケーブルに入射できるようになっている。なお、光ファイバテープ心線７の一端側には光コネクタ８が設けられており、光コネクタ８がＯＴＤＲ側に接続される。
【０００５】
前記余長収納部３は、メインユニット２に対して、同図の矢印Ａ方向(光ファイバケーブルの配線架の抜き差し方向手前側)にスライド自在に設けられており、余長収納部３の蓋部３０は同図の矢印Ｂ方向に開閉自在と成している。
【０００６】
このような光分岐ユニット１は、図６の(ａ)に示されるように、複数重ねあわせて配列されており、光ファイバテープ心線７の余長部分を余長収納部３に収納するときや、光ファイバテープ心線７をＯＴＤＲに接続するときには、例えば同図の(ｂ)に示すように、所望の光ファイバテープ心線７が収納されている余長収納部３を図の矢印Ｃの方向に引き出して配線架から引き出し、同図の(ｃ)に示すように、余長収納部３の蓋部３０を開けて光ファイバテープ心線７を収納したり取り出したりしていた。
【０００７】
【発明が解決しようとする課題】
しかしながら、従来の光分岐ユニット１においては、上記のように、光ファイバテープ心線７を余長収納部３に収納したり、余長収納部３から取り出したりするときには、いちいち余長収納部３を架から引き出して余長収納部３の蓋部３０を開けなければならないために、その作業が大変であり、非常に非効率的であった。また、余長収納部３の引き出し機構も複雑であった。
【０００８】
本発明は、上記従来の課題を解決するためになされたものであり、その目的は、光分岐ユニットに設けられる光ファイバテープ心線の余長部分の収納や取り出しが容易であり、それらの作業を非常に効率的に行うことができる光分岐ユニットを提供することにある。
【０００９】
【課題を解決するための手段】
上記目的を達成するために、本発明は次のような構成をもって課題を解決するための手段としている。すなわち、本発明は、箱形状のケース内がメインユニットと余長収納部とに区分けされており、該余長収納部の側面には複数の光ファイバを配設した光ファイバテープ心線を挿入するテープ挿入部が設けられ、前記メインユニットの一端側の側面には通信光入出射用の第１のポートが、他端側の側面には通信光入出射用の第２のポートがそれぞれ複数設けられており、該メインユニットと前記余長収納部との境界部には監視光入出射用の第３のポートが設けられており、該メインユニット内には第１のポートから入射した通信光と第３のポートから入射した監視光とを合波して第２のポートに導き、かつ、第２のポート側で反射した監視光を第３のポートに導く光合分波器が設けられており、前記余長収納部のテープ挿入部から挿入された光ファイバテープ心線の挿入先端側は前記第３のポートに導かれ、該第３のポートを介して前記光合分波器に接続されており、前記余長収納部にはそれぞれ一端側を前記第３のポートの位置で該第３のポートに導かれている光ファイバテープ心線を間に挟む位置に配置して第１ガイド部と第２ガイド部とが設けられ、前記第１ガイド部の他端側はテープ挿入部から余長収納部内に挿入される光ファイバテープ心線が突き当たる位置に予め定められた許容曲率半径よりも大きい曲率半径を有して余長収納部内側に凸となる湾曲部を介して余長収納部の外側へ向かう方向に延設されており、前記第２ガイド部は前記第３のポート側の一端側から予め定められた許容曲率半径よりも大きい曲率半径を有して余長収納部内側に凸となる湾曲部を介して前記第１ガイド部の他端側とは反対側となる余長収納部の外側へ向かう方向に延設されていて、第１ガイド部と第２ガイド部の間隔は第３のポート側の一端側から他端側に向かうにつれて間隔が広くなる形態と成し、光ファイバテープ心線が前記テープ挿入部から余長収納部内へ挿入されるときには、光ファイバテープ心線が前記第１ガイドの湾曲部にガイドされて前記余長収納部の内側に撓んで曲げられながら余長収納部内に収容され、この第１ガイドの湾曲部にガイドされて内側に撓んで曲げられる光ファイバテープ心線は前記第３のポート側において前記第２ガイドの湾曲部によって曲げ変形が受け止められて該第２ガイドの湾曲部の曲率半径よりも小さい曲率半径をもって前記撓み方向に曲がることが規制されている構成を持って課題を解決する手段としている。
【００１０】
また、前記ガイド部によってメインユニットと余長収納部とが区分けされていることも本発明の特徴的な構成とされている。
【００１１】
さらに、前記第３ポートの近傍には、光ファイバテープ心線を固定するテープ固定部が設けられていること、前記テープ固定部はガイド部に連通して設けられていること本発明の特徴的な構成とされている。
【００１２】
さらに、前記テープ挿入部には、光ファイバテープ心線に接続された光コネクタ部を嵌合収容するコネクタ嵌合部が設けられていること、前記テープ挿入部が設けられる余長収納部の壁面にはコネクタ嵌合部に連通して該コネクタ嵌合部よりも幅が狭いスリット部が形成されていること、前記余長収納部はメインユニットの上下の一方側に設けられており、階層構造と成していることも本発明の特徴的な構成とされている。
【００１３】
上記構成の本発明において、余長収納部側には、予め定められた曲率半径よりも大きい曲率半径を有してテープ挿入部から挿入される光ファイバテープ心線の挿入方向をガイドするガイド部が設けられており、ガイド部は前記余長収納部内側に凸となる湾曲部を有して、この湾曲部により前記光ファイバテープ心線の撓み方向を余長収納部の内側方向に規制する第１の位置規制部と、該第１の位置規制部によって位置規制されて内側に撓んだ光ファイバテープ心線の余長収納部内側方向への過剰曲げによって、光ファイバテープ心線が前記許容曲率半径よりも小さい曲率半径をもって曲がることを規制する第２の位置規制部とを有している。
【００１４】
そのため、テープ挿入部から挿入される光ファイバテープ心線は、上記第１の位置規制部によって位置規制されて前記許容曲率半径よりも大きい曲率半径を持って内側に撓み、また、この内側への曲げによって光ファイバテープ心線が過剰に曲がり、前記許容曲率半径よりも小さい曲率半径をもって曲がることが上記弟２の位置規制部によって規制されるため、テープ挿入部から挿入される光ファイバテープ心線は、これら第１、第２の位置規制部を有するガイド部によってガイドされて、前記許容曲率半径よりも小さい曲率半径で曲がることなく、整然と余長収納部に収納される。
【００１５】
従って、従来の余長収納部のように蓋を開けたりすることなく、光ファイバテープ心線をテープ挿入部から挿入するだけで、非常に容易に、光ファイバテープ心線の余長部分を余長収納部にスムーズに収納することが可能となり、また、光ファイバテープ心線をテープ挿入部から引き出すだけで光ファイバテープ心線をスムーズに引き出すことも可能となり、上記課題が解決される。
【００１６】
【発明の実施の形態】
以下、本発明の実施の形態を図面に基づいて説明する。なお、本実施形態例の説明において、従来例と同一名称部分には同一符号を付し、その重複説明は省略する。図１には、本発明に係る光分岐ユニットの一実施形態例の要部構成が示されており、同図の(ａ)には、その平面図が、同図の(ｂ)には、同図の(ａ)の右側から見た側面図が、同図の(ｃ)には、同図の(ａ)のＡ−Ａ断面図がそれぞれ示されている。
【００１７】
これらの図に示されるように、本実施形態例の光分岐ユニットは箱形状を呈しており、仕切り壁２０により、ケース内がメインニット２と余長収納部３とに区分けされている。なお、本実施形態例では、図１の（ｃ）に示すように、余長収納部３はメインニット２の上方側に設けられており、階層構造と成している。余長収納部３の側面には光ファイバテープ心線７を挿入するテープ挿入部１７が設けられており、テープ挿入部１７には、光ファイバテープ心線７に接続された光コネクタ（光コネクタ部）８を嵌合収容するコネクタ嵌合部９が設けられており、コネクタ嵌合部９の先端側にはコネクタ収容ガイド１０が設けられている。また、テープ挿入部１７が設けられる余長収納部３の壁面には、コネクタ嵌合部９に連通してコネクタ嵌合部９よりも幅が狭いスリット部２５が形成されている。
【００１８】
余長収納部３側には、テープ挿入部１７から挿入される光ファイバテープ心線７の挿入方向をガイドするガイド部としての第１ガイド５と第２ガイド６が設けられており、これらの第１、第２ガイド５，６は予め定められた許容曲率半径よりも大きい曲率半径を有して余長収納部３の内側に凸となる湾曲部１８，１９を有している。第１ガイド５は、この湾曲部１８により光ファイバテープ心線７の撓み方向を余長収納部３の内側方向に規制する第１の位置規制部として機能するものであり、第２ガイド６は、第１ガイド５によって位置規制されて内側に撓んだ光ファイバテープ心線７の余長収納部内側方向への過剰曲げによって、光ファイバテープ心線７が前記許容曲率半径よりも小さい曲率半径をもって曲がることを規制する第２の位置規制部として機能する。
【００１９】
前記メインユニット２の一端側の側面には、通信光入出射用の第１のポートとしての局内側ポート１１が複数（図では４個）設けられており、メインユニット２の他端側の側面には、通信光入出射用の第２のポートとしての成端側ポート１２が複数（図では４個）設けられている。また、メイニュニット２と余長収納部３との境界部には、監視光入出射用の第３のポートとしての監視光入出射用ポート１３が設けられており、監視光入出射用ポート１３の近傍には光ファイバテープ心線７を固定するテープ固定部１４が設けられている。なお、本実施形態例では、テープ固定部１４は、引き止めガイド１６と、この引き止めガイド１６に固定された引き止め部材１５を有して構成されており、テープ固定部１４は前記第１、第２ガイド５，６に連通して設けられている。
【００２０】
メインニット２内には、光合分波器２４が設けられており、光合分波器２４には、例えば波長１．３１μｍの通信光を透過させ、波長１．５５μｍの通信光を反射させるフィルタ等が設けられている。光合分波器２４は、光ファイバ２１を介して局内側ポート１１に接続され、光ファイバ２２を介して成端側ポート１２に接続され、光ファイバ２３を介して監視光入出射用ポート１３に接続されており、光合分波器２４は、前記局内側ポート１１から入射した通信光と監視光入出射用ポート１３から入射した監視光とを合波して成端側ポート１２に導き、かつ、成端側ポート１２側で反射した監視光を監視光入出射用ポート１３に導く機能を有している。
【００２１】
前記余長収納部３のテープ挿入部１７から挿入された光ファイバテープ心線７の挿入先端側は、第１、第２ガイド５，６にガイドされて監視光入出射用ポート１３に導かれ、監視光入出射用ポート１３を介して光合分波器２４に接続されている。なお、前記光ファイバ２３は、光ファイバテープ心線７から引き出され、その先端側の被覆が除去されて複数の単心の光ファイバと成したものである。また、光合分波器２４に前記フィルタを設けることにより、監視光が局内側ポート１１側に進んで局内側に侵入するのを防ぐようにしている。
【００２２】
本実施形態例は以上のように構成されており、本実施形態例光分岐ユニット１は、例えば図２に示すように、複数重ね合わせて配線架の予め定められた位置に設けられる。そして、本実施形態例の光分岐ユニット１において、光ファイバテープ心線７の余長部分を余長収納部３に収納するときには、従来例のように、余長収納部３を引き出したりすることなく、光分岐ユニット１を重ね合わせて配列した状態で、光ファイバテープ心線７をテープ挿入部１７から挿入する。
【００２３】
そうすると、図１に示したように、光ファイバテープ心線７は余長収納部３の内側に撓みながら収納されていき、このとき、光ファイバテープ心線７の撓み方向が第１ガイド５により位置規制されて、光ファイバテープ心線７は前記許容曲率半径よりも大きい曲率半径でもって余長収納部内側に撓んでいく。すなわち、本実施形態例では、戦記許容曲率半径よりも大きい曲率半径を有して余長収納部３の内側に凸となる湾曲部１８を備えた第１ガイド５が設けられているために、光ファイバテープ心線７は、この第１ガイド５にガイドされ、例えば図１の（ａ）において、第１ガイド５よりも図の左上方側に曲がることを抑制されて、余長収納部３の内側に撓みながら収納されてゆく。
【００２４】
そして、この内側に撓んだ光ファイバテープ心線７は、第２ガイドにより位置規制され、余長収納部３の内側方向への過剰曲げによって前記許容曲率半径よりも小さい曲率半径をもって曲がることが規制される。以上のことから、光ファイバテープ心線７は余長収納部３に整然と収納される。
【００２５】
なお、本実施形態例では、光ファイバテープ心線７の余長部分を余長収納部３に収納するときには、光ファイバテープ心線７に接続されている光コネクタ８にコネクタキャップ２７を被せて、コネクタキャップ２７ごと前記コネクタ嵌合部９に嵌合収容するようにしており、光コネクタ８をコネクタ嵌合部９に収容したときに、コネクタキャップ２７の後方側後端側は余長収納部３の側壁から外部に突出した状態となる。
【００２６】
また、光ファイバテープ心線７の余長部分を余長収納部３から取り出すときには、コネクタキャップ２７をつまんで、図３に示すように、光ファイバテープ心線７を図の右側に引き出すと、光ファイバテープ心線７はスリット部２５を通って、同図に示すようにスムーズに引き出される。
【００２７】
そして、この引き出した光ファイバテープ心線７に接続されている光コネクタ８を、図４に示すように、架２６を介してＯＴＤＲ（図示せず）に接続されている光コネクタ２８に接続し、ＯＴＤＲから監視光を発信すると、この監視光は光ファイバテープ心線７を介して前記光合分波器２４に入射し、光ファイバ２２を介して成端側ポート１２に導かれる。また、成端側ポート１２側（成端側ポート１２に接続されている加入者用の局外光回線の光ケーブル）で反射した監視光が、光ファイバ２２、光合分波器２４、光ファイバ２３、光ファイバテープ心線７を順に通ってＯＴＤＲに戻され、ＯＴＤＲによる光ケーブル異状の有無等の検出が行われる。
【００２８】
本実施形態例によれば、上記のように、光ファイバテープ心線７の余長部分をテープ挿入部１７から挿入するだけで、この余長部分が望まない場所に入り込んで前記許容曲率半径よりも小さい曲率半径をもって曲がること等なく、整然と余長収納部３に収納されるために、従来のように、余長収納部３の蓋を開けたりすることなく、光ファイバテープ心線７の余長部分の収納を容易に行うことができる。また、このように、光ファイバテープ心線７の余長部分が余長収納部３に整然と収納されるために、この余長部分を取り出すときにも、上記のように、テープ挿入部１７から光ファイバテープ心線７を引き出すだけで、余長収納部３の蓋を開けたり余長収納部３をメインユニット２からずらしたりすることなく容易に引き出すことができる。
【００２９】
そのため、光ファイバテープ心線７の余長部分の収納や取り出しを非常に容易に、効率的に行うことが可能となり、複雑な余長収納部３の引き出し機構を設ける必要もなく、その分だけ光分岐ユニット１のコストダウンを図ることができる。
【００３０】
また、本実施形態例によれば、監視光入出射用ポート１３の近傍にテープ固定部１４を設け、光ファイバテープ心線７を固定しているために、光ファイバテープ心線７を余長収納部３から引き出したときに、光ファイバテープ心線７の先端側の光ファイバ２３が光ファイバテープ心線７と共に引っ張られて、光合分波器２４等のメインユニット２内の配線や光合分波器２４等の光部品に影響が及ぶことを抑制することができる。また、このテープ固定部１４を前記第１、第２ガイド５，６に連通して設けることにより、第１、第２ガイド５，６による光ファイバテープ心線７の余長部分の位置規制を非常に行い易くすることができる。
【００３１】
さらに、本実施形態例によれば、テープ挿入部１７に、光コネクタ８を嵌合収容するコネクタ嵌合部９を設け、光コネクタ８をコネクタ嵌合部９内に嵌合収容する構成としたために、光ファイバテープ心線７の余長部分を余長収納部３に収納したときに、光コネクタ８が光分岐ユニット１の側面から外部に露出することを防ぐことができる。そのため、例えば光分岐ユニット１の外部から光コネクタ８にものが衝突したりして光コネクタ８に損害を与えるといったことを確実に防止することが可能となり、光分岐ユニット１の輸送や交換等を非常に安全に行うことができる。
【００３２】
さらに、本実施形態例によれば、コネクタ嵌合部９に連通してコネクタ嵌合部９よりも幅が狭いスリット部２５を余長収納部３の壁面に形成したために、光ファイバテープ心線７を引き出すときに、光ファイバテープ心線７のみをスリット部２５に通して非常にスムーズに引き出すことができる。また、スリット２５はコネクタ嵌合部９よりも幅が狭いために、光コネクタ８をコネクタ嵌合部９に挿入しても、光コネクタ８がスリット部２５側に移動することはなく、光コネクタ８をコネクタ嵌合部９に安定した状態で嵌合収容することができる。
【００３３】
さらに、本実施形態例によれば、余長収納部３はメインユニット２の上方側に設け、光分岐ユニット１の外形は略直方体形状の薄肉の薄形状としたために、光分岐ユニット１を複数重ね合わせて配列するときに、この配列を非常に行い易くすることができるし、メインユニット２に設けられている局内側ポート１１の電話局内光回線との接続および、成端側ポート１２の加入者用局内光回線との接続を非常に行い易くすることができる。
【００３４】
なお、本発明は上記実施形態例に限定されることはなく様々な実施の態様を採り得る。例えば、例えば、上記実施形態例では、余長収納部３はメインユニット２の上方側に設けたが、余長収納部３をメインユニット２の下方側に設けてもよい。
【００３５】
また、メインユニット２を、従来例と同様にケース内の左右の一方側に設け、余長収納部３をその他方側に設けて光分岐ユニット１を構成するようにしてもよい。ただし、上記実施形態例のように、余長収納部３をメインユニット２の上下の一方側に設けて階層構造とすることにより、メインユニット２内における光ファイバ２１，２２，２３の配線スペース等を広く採ることが可能となり、これらの配線を行い易くすることができる。
【００３６】
さらに、上記実施形態例では、仕切り壁２０を設けてメインユニット２と余長収納部３とを区分けしたが、仕切り壁２０を設けずに第１、第２ガイド５，６によって、メインユニット２と余長収納部３とを区分けする構成としてもよい。
【００３７】
さらに、上記実施形態例では、テープ挿入部１７はコネクタ嵌合部９とスリット部２５を有する構成としたが、例えばスリット部２５は省略することもできる。ただし、スリット部２５を形成することにより、光ファイバテープ心線７の引き出しをより一層スムーズに行うことができるために、スリット部２５を設けることが好ましい。
【００３８】
さらに、上記実施形態例では、光ファイバテープ心線７は４本の光ファイバ２３を配列した光ファイバテープ心線７としたが、光ファイバテープ心線７に配列される光ファイバ２３の本数は特に限定されるものではなく適宜設定されるものである。
【００３９】
さらに、上記実施形態例では、局内側ポート１１、成端側ポート１２は、共に４個づつ設けたが、局内側ポート１１、成端側ポート１２の個数は特に限定されるものではなく、適宜設定されるものである。
【００４０】
【発明の効果】
本発明によれば、余長収納部のテープ挿入部から挿入される光ファイバテープ心線の挿入方向をガイドする第１ガイド部と第２ガイド部を設けて、光ファイバテープ心線の余長部分が予め定められた許容曲率半径よりも小さい曲率半径をもって曲がることを抑制するものであるから、余長収納部の蓋を開けたりすることなく、光ファイバテープ心線をテープ挿入部から挿入するだけで非常に容易に、光ファイバテープ心線の余長部分を余長部分に収納し、整然と収納することができる。そのため、光ファイバテープ心線を余長収納部から取り出すときも、テープ挿入部から引き出すだけで非常に容易に、スムーズに光ファイバテープ心線を引き出すことが可能となり、このように、光ファイバテープ心線の余長部分の収納および取り出しを非常に効率的に行うことができる。
【００４１】
また、前記ガイド部によって光分岐ユニットのメインユニットと余長収納部とを区分けすれば、その分だけ光分岐ユニットの構成を簡略化することができる。
【００４２】
さらに、前記第３ポートの近傍に、光ファイバテープ心線を固定するテープ固定部を設けた本発明によれば、光ファイバテープ心線の余長部分をテープ挿入部から引き出したときに、光ファイバテープ心線の先端側に接続されている光合分波器等を光ファイバテープ心線と共に移動させてしまうといったことを確実に抑制することができる。
【００４３】
さらに、上記テープ固定部をガイド部に連通して設けた本発明によればガイド部による光ファイバテープ心線のガイドをより一層行い易くすることができる。
【００４４】
さらに、テープ挿入部に、光ファイバテープ心線接続された光コネクタ部を嵌合収容するコネクタ嵌合部を設けた本発明によれば、光コネクタ部を光分岐ユニットの外部に突出させることなくコネクタ嵌合部に嵌合収容することができるために、突出した光コネクタ部に外部から物が衝突するといったことを未然に防ぐことが可能となり、光分岐ユニットの輸送や保管を非常に安全に行うことができる。
【００４５】
さらに、テープ挿入部が設けられる余長収納部の壁面にはコネクタ嵌合部に連通して該コネクタ嵌合部よりも幅が狭いスリット部が形成されている本発明によれば、光ファイバテープ心線の余長部分を余長収納部から引き出すときに、スリット部を通してより一層スムーズに光ファイバテープ心線の引き出しを行うことができる。
【００４６】
さらに、余長収納部をメインユニットの上下の一方側に設けて階層構造とした本発明によれば、例えば光分岐ユニットを複数重ね合わせて配列するときにその配列を行い易くすることができるし、メインユニット内における配線スペースを広くすることができる。
【図面の簡単な説明】
【図１】本発明に係る光分岐ユニットの一実施形態例を示す要部構成図である。
【図２】上記実施形態例の光分岐ユニット１の配列構造例を模式的に示す説明図である。
【図３】上記実施形態例の光分岐ユニットにおいて、光ファイバテープ心線を余長収納部から引き出した状態を示す説明図である。
【図４】上記実施形態例の光分岐ユニットにおいて、光ファイバテープ心線に接続された光コネクタのＯＴＤＲ側への接続状態を示す説明図である。
【図５】従来の光分岐ユニットの一例を模式的に示す説明図である。
【図６】従来の光分岐ユニットの配列構造および余長収納部からの光ファイバテープ心線の引き出し方法を模式的に示す説明図である。
【符号の説明】
１  光分岐ユニット
２  メインユニット
３  余長収納部
５  第１ガイド
６  第２ガイド
７  光ファイバテープ心線
９  コネクタ嵌合部
１１  局内側ポート
１２  成端側ポート
１４  テープ固定部
１７  テープ挿入部
２５  スリット部
【図１】
0003895451.tif 000002
【図２】
0003895451.tif 000003
【図４】
0003895451.tif 000004
【図３】
0003895451.tif 000005
【図５】
0003895451.tif 000006
【図６】
0003895451.tif 000007